(57)【要約】【課題】挿入体の外径増大を抑えつつ、可及的に大きな処置出力を得ること。【解決手段】挿入体１０に設けた処置具挿入用チャンネル１６の内部に超音波振動子４０を配設するとともに、挿入体１０の先端から突出する態様で超音波振動子４０に先端処置部４０３を連結し、超音波振動子４０で発生した超音波振動により先端処置部４０３を介して被検体に所望の超音波処置を施す超音波処置装置であって、超音波振動子４０として磁歪式のものを適用するとともに、この超音波振動子４０に対して磁界を発生するためのコイル４２を処置具挿入用チャンネル１６の内周壁に組み入れている。【選択図】        図１
2005253616.tif 000002
【特許請求の範囲】
【請求項１】
体腔内への挿入体に設けた処置具挿入用チャンネルの内部に超音波振動子を配設するとともに、挿入体の先端から超音波振動子の先端処置部を突出させて所望の超音波処置を施す超音波処置装置であって、
超音波振動子として磁歪式のものを適用するとともに、この超音波振動子に対して磁界を発生するためのコイルを処置具挿入用チャンネルの内周壁に組み入れたことを特徴とする超音波処置装置。
【請求項２】
処置具挿入用チャンネルの内周壁において超音波振動子の外周となる部位にのみコイルを配設したことを特徴とする請求項１に記載の超音波処置装置。
【請求項３】
挿入体は、その先端部に被検体を観察するための観察光学系を備えた内視鏡の構成要素であり、
この観察光学系の視野内に振動体の先端部を配置させる態様で超音波振動子を配設したことを特徴とする請求項１に記載の超音波処置装置。
【請求項４】
振動体に対して鉗子部材を開閉可能に配設するとともに、この鉗子部材を操作するための鉗子操作手段を挿入体の基端部に配設したことを特徴とする請求項１に記載の超音波処置装置。
【請求項５】
超音波振動子に吸引通路を形成するとともに、振動体の先端部に吸引通路に連通した吸引口を開口させたことを特徴とする請求項１に記載の超音波処置装置。
【発明の詳細な説明】
【技術分野】
【０００１】
本発明は、超音波振動子で発生する超音波振動を利用し、挿入体の先端部において生体組織等の被検体に切開、切除、あるいは凝固等の超音波処置を施す超音波処置装置に関するものである。
【背景技術】
【０００２】
この種の超音波処置装置としては、手元の操作ユニットに超音波振動子を配設する一方、挿入体の内部に超音波プローブを配設し、超音波振動子で発生した超音波振動を超音波プローブに伝達することにより、挿入体の先端部において超音波処置を施すようにしたものが一般的である。超音波振動子としては、通常、複数の圧電素子を軸方向に積層したものが適用されている。
【０００３】
しかしながら、上記のような超音波処置装置では、挿入体と同程度の長さを有した細径で長大な超音波プローブを適用しなければならない。このように細径で長大な超音波プローブを適用した超音波処置装置にあっては、超音波振動子を駆動した場合、超音波プローブに横振動が発生し、この横振動によって超音波振動に出力ロスが生じる虞れがある。
【０００４】
このため従来においては、挿入体に設けた処置具挿入用チャンネルの内部に超音波振動子を配設するようにした超音波処置装置も提供されている。こうした超音波処置装置によれば、挿入体の長さに関わらず、超音波振動子から挿入体の先端に突出するだけの長さを有した超音波プローブを適用すれば良いため、横振動の発生による出力ロスを低減することができるようになる（例えば、特許文献１参照）。
【０００５】
【特許文献１】特表２００１−５０２２１６号公報
【発明の開示】
【発明が解決しようとする課題】
【０００６】
ところで、上記のように挿入体の処置具挿入用チャンネルに超音波振動子を配設した超音波処置装置では、超音波振動子の外径が処置具挿入用チャンネルによって制限されることになる。超音波振動子の外径は、一般にその出力を決定する要因である。このため、超音波処置装置が実施できる超音波処置にも大きな制限が加わることになる。
【０００７】
もちろん、挿入体の外径を大きくすれば、その分だけ太径の超音波振動子を配設することができるため、実施できる超音波処置の制限も小さくはなる。しかしながら、挿入体の外径を大きくした場合には、体腔内への挿入が困難になる等、適用箇所に大きな制限が加わることになる。
【０００８】
本発明は、上記実情に鑑みて、挿入体の外径増大を抑えつつ、可及的に大きな処置出力を得ることのできる超音波処置装置を提供することを目的とする。
【課題を解決するための手段】
【０００９】
上記の目的を達成するために、本発明の請求項１に係る超音波処置装置は、体腔内への挿入体に設けた処置具挿入用チャンネルの内部に超音波振動子を配設するとともに、挿入体の先端から超音波振動子の先端処置部を突出させて所望の超音波処置を施す超音波処置装置であって、超音波振動子として磁歪式のものを適用するとともに、この超音波振動子に対して磁界を発生するためのコイルを処置具挿入用チャンネルの内周壁に組み入れたことを特徴とする。
【００１０】
また、本発明の請求項２に係る超音波処置装置は、上述した請求項１において、処置具挿入用チャンネルの内周壁において超音波振動子の外周となる部位にのみコイルを配設したことを特徴とする。
【００１１】
また、本発明の請求項３に係る超音波処置装置は、上述した請求項１において、挿入体は、その先端部に被検体を観察するための観察光学系を備えた内視鏡の構成要素であり、この観察光学系の視野内に振動体の先端部を配置させる態様で超音波振動子を配設したことを特徴とする。
【００１２】
また、本発明の請求項４に係る超音波処置装置は、上述した請求項１において、振動体に対して鉗子部材を開閉可能に配設するとともに、この鉗子部材を操作するための鉗子操作手段を挿入体の基端部に配設したことを特徴とする。
【００１３】
また、本発明の請求項５に係る超音波処置装置は、上述した請求項１において、超音波振動子に吸引通路を形成するとともに、振動体の先端部に吸引通路に連通した吸引口を開口させたことを特徴とする。
【発明の効果】
【００１４】
本発明によれば、挿入体に設けた処置具挿入用チャンネルの内部に超音波振動子を配設しているため、横振動の発生による出力ロスを低減することができるようになる。しかも、処置具挿入用チャンネルの内周壁にコイルを組み入れるようにしているため、処置具挿入用チャンネルの内部にはその他の部分のみを挿入すれば良い。従って、挿入体の外径を増大させることなく実質的に処置具挿入用チャンネルよりも太径の超音波振動子を配設した場合と同様の処置出力を得ることができるようになり、実施できる超音波処置や適用箇所に大きな制限が加えられることがない。
【発明を実施するための最良の形態】
【００１５】
以下に添付図面を参照して、本発明に係る超音波処置装置の好適な実施の形態について詳細に説明する。
【００１６】
（実施の形態１）
図１は、本発明の実施の形態１である超音波処置装置の要部を概念的に示したものである。ここで例示する超音波処置装置は、図２に示すように、内視鏡システムを適用して生体組織等の被検体に切開、切除、あるいは凝固等の超音波処置を施すもので、挿入体１０および操作ユニット２０を備えている。
【００１７】
挿入体１０は、長尺で細径の円柱状を成す部分であり、軟性挿入部１１、湾曲部１２および先端部材１３を有して構成してある。軟性挿入部１１は、可撓性を有する軟質材によって成形したもので、外力が加えられた場合に任意の方向に向けて比較的容易に湾曲することが可能である。湾曲部１２は、ピン１２１を介して複数の湾曲駒１２２を互いに傾動可能となる態様で一連に接続するとともに、これら複数の湾曲駒１２２の外周を可撓性の外皮チューブ１２３で覆うことによって構成したもので、軟性挿入部１１の先端に連結してある。この湾曲部１２は、複数の湾曲駒１２２を適宜傾動させることにより、外皮チューブ１２３とともにピン１２１の軸回りとなる方向に湾曲することが可能である。先端部材１３は、硬質材によって成形したもので、湾曲部１２の最先端に位置する湾曲駒１２２に装着してある。
【００１８】
この挿入体１０には、観察系用チャンネル１４、一対の光源用チャンネル１５、および処置具挿入用チャンネル１６が設けてある。これら観察系用チャンネル１４、光源用チャンネル１５および処置具挿入用チャンネル１６は、図には明示していないが、それぞれ軟性挿入部１１の基端面から先端部材１３の先端面に亘る部位に貫設してある。観察系用チャンネル１４には、先端部材１３に位置する部位に観察光学系１４０である観察レンズ１４１，１４２およびＣＣＤユニット１４３が配設してあり、また光源用チャンネル１５には、図３に示すように、先端部材１３の開口端部に位置する部位にそれぞれ照明レンズ１５１が配設してある。
【００１９】
操作ユニット２０は、挿入体１０よりも太径の把持部２１と、この把持部２１よりもさらに太径の操作部２２とを備えて構成したものである。
【００２０】
把持部２１は、挿入体１０における軟性挿入部１１の基端部に連設した部分であり、その外周部に第１連通路の外部開口２１１および第２連通路の外部開口２１２を有している。第１連通路および第２連通路は、図には明示していないが、それぞれの一端が外部開口２１１，２１２として把持部２１の外周部に開口する一方、それぞれの他端が把持部２１の先端面に開口したもので、第１連通路が処置具挿入用チャンネル１６に連通し、かつ第２連通路が処置具挿入用チャンネル１６の外周部に連通している。第１連通路は、処置具挿入用チャンネル１６と同一の内径で、互いに連続するように構成してある。
【００２１】
操作部２２は、把持部２１の基端に連設した部分であり、その外周部に操作ハンドル２２１、ライトケーブル２２２およびビデオ出力ケーブル２２３を備えている。操作ハンドル２２１は、操作部２２の外周面に回転可能に配設したもので、湾曲部１２との間が操作ワイヤ等の連係手段（図示せず）によって連係してある。この操作ハンドル２２１は、適宜方向に回転操作すると、連係手段を介して湾曲部１２を湾曲操作することが可能である。ライトケーブル２２２は、外部に設置された光源装置３０の照明光を伝送するためのもので、２本に分岐された先端がそれぞれ照明レンズ１５１に近接する態様で、操作部２２および把持部２１を介して挿入体１０の光源用チャンネル１５に配設してある。ビデオ出力ケーブル２２３は、ＣＣＤユニット１４３から出力された画像信号を図示せぬビデオ装置に伝送するためのものである。
【００２２】
また、上記超音波処置装置は、磁歪式の超音波振動子４０を備えている。超音波振動子４０は、図１に示すように、有底円筒状を成すシリンダ４０１の内部に複数の磁歪素子４０２を積層することによって構成したものである。シリンダ４０１は、上述した挿入体１０の処置具挿入用チャンネル１６の内径よりも僅かに細径となる外径を有したもので、第１連通路の外部開口２１１から処置具挿入用チャンネル１６の内部に挿通させることが可能である。
【００２３】
超音波振動子４０のホーン４０４の先端には、先端処置部４０３が形成されている。この先端処置部４０３は、超音波振動子４０からの超音波振動を、ホーン４０４を介してその延出方向に伝達する。超音波振動子４０を所望の周波数で超音波振動させた場合に、ホーン４０４の基端部に構成した支持フランジ部４０５および磁歪素子４０２の長さ方向の中心がそれぞれ超音波振動の節となり、かつ支持フランジ部４０５から先端処置部４０３の長さが超音波振動の周波数に対してその１／４波長となるように設定してある。
【００２４】
また、超音波振動子４０には、シリンダ４０１の底面に軟性シース４５を介して処置操作部４６が連結してある。図２に示すように、軟性シース４５は、挿入体１０の処置具挿入用チャンネル１６よりも十分に大きな長さを有したもので、位置決め部材４７を備えている。位置決め部材４７は、例えば処置具挿入用チャンネル１６の内径よりも太径に形成したリング状部材であり、超音波振動子４０を把持部２１の外部開口２１１から処置具挿入用チャンネル１６に挿入し、図１に示すように、先端処置部４０３の先端部が観察光学系１４０の視野内に位置するとともに、磁歪素子４０２の長さ方向の中心がＣＣＤユニット１４３の重心を含む横断面上に合致した所望の処置位置（図１に示した位置）に配置した場合に、第１連通路の外部開口２１１に当接するように配置してある。
【００２５】
いま、挿入体１０の先端面からの先端処置部４０３の突出長さをＬ、挿入体１０の先端面から後述のコイル４２先端までの長さをＬ′、観察レンズ１４１の直径をＤ１、観察レンズ１４１と先端処置部４０３との間の距離をｄ、観察光学系１４０の視野角をα、超音波振動乃一波長をλとすると、先端処置部４０３の先端部を観察光学系１４０の視野内に配置させるためには、以下の式を満たすようにそれぞれを設定すれば良い。
Ｌ＞｛ｄ−（Ｄ１／２）｝／tan（α／２）
Ｌ′＜（ｎλ／４）−｛ｄ−（Ｄ１／２）｝／tan（α／２）
（ｎ＝０，１，２，３…）
【００２６】
一方、超音波振動子４０が挿入配置される挿入体１０の処置具挿入用チャンネル１６には、コイル４２、バイアス磁石４３および磁気シールド材４４が設けてある。コイル４２は、超音波振動子４０の磁歪素子４０２に磁界を与えるためのもので、超音波振動子４０が処置位置に配置された場合にその外周域となる処置具挿入用チャンネル１６の内周壁に組み入れてある。コイル４２の両端から延長された延長ケーブル４２ａは、挿入体１０の内部においてその基端側に延在させた後、外部に設置された電源装置５０に接続すべく第２連通路の外部開口２１２を通じて把持部２１の外部へ導出してある。バイアス磁石４３は、超音波振動子４０にバイアス磁界を与えるためのもので、処置具挿入用チャンネル１６の内周壁においてコイル４２の外周となる部位に円管状の永久磁石を配設することによって構成してある。磁気シールド材４４は、上述したコイル４２やバイアス磁石４３の電磁気によるＣＣＤユニット１４３への影響を防止するためのもので、観察光学系１４０とバイアス磁石４３との間に介在させてある。本実施の形態１では、磁気シールド材４４としてCo（コバルト）系アモルファス製のシート材や方向性珪素鋼板を適用している。
【００２７】
この超音波処置装置を適用して生体組織等の被検体に切開、切除、あるいは凝固等の超音波処置を施す場合には、まず、操作ユニット２０を適宜操作しながら挿入体１０を体腔内に挿入し、挿入体１０の先端部を所望の位置に配置させる。
【００２８】
この場合、超音波処置装置の処置具挿入用チャンネル１６には、上述した処置位置に予め超音波振動子４０を位置決め配置しておいても良いし、挿入体１０の先端部が所望の位置に配置された後に超音波振動子４０を処置位置に配置するようにしても良い。
【００２９】
また、挿入体１０を体腔内に挿入する場合、光源装置３０を駆動すれば、照明光がライトケーブル２２２を通じて２つの照明レンズ１５１からそれぞれ挿入体１０の先端領域に照射される一方、その反射光が観察レンズ１４１，１４２を通じてＣＣＤユニット１４３に結合されることになり、該ＣＣＤユニット１４３に結合された反射光が画像信号として出力される。ＣＣＤユニット１４３から出力された画像信号は、ビデオ出力ケーブル２２３を通じてビデオ装置に伝送されるため、挿入体１０の先端領域を逐次観察しながら体腔内への挿入作業を行うことができる。
【００３０】
次いで、挿入体１０の先端部が所望の位置に配置された状態から電源装置５０を駆動し、延長ケーブル４２ａを介してコイル４２に交流電流を供給すると、コイル４２に発生する磁界の作用によって磁歪素子４０２が適宜歪み変形し、超音波振動子４０に超音波振動が発生することになる。超音波振動子４０で発生した超音波振動は、ホーン４０４を通じて先端処置部４０３の先端部に伝達され、該先端処置部４０３の先端部において被検体に所望の超音波処置を施すことが可能となる。
【００３１】
ここで、上記超音波処置装置においては、処置具挿入用チャンネル１６の内周壁にコイル４２を組み入れるようにしているため、処置具挿入用チャンネル１６の内部には、磁歪素子４０２を収容したシリンダ４０１のみを収納すれば良いことになり、挿入体１０の外径を増大させることなく実質的に処置具挿入用チャンネル１６よりも太径の超音波振動子４０を配設した場合と同様の処置出力を得ることができるようになる。
【００３２】
さらに、コイル４２の外周となる部位にバイアス磁石４３を配設しているため、このバイアス磁石４３の磁界によって先端処置部４０３の振動変位が増大することになる。
【００３３】
これらの結果、上記超音波処置装置によれば、挿入体１０の外径を増大させることなく十分な処置出力を得ることができるようになり、実施できる超音波処置や適用箇所に大きな制限が加えられることがなくなる。
【００３４】
先端処置部４０３によって超音波処置を施す場合にも、先端処置部４０３の先端部が観察光学系１４０の視野内に配置されているため、ビデオ装置を通じて被検体を観察しながら行うことが可能である。その際、上記超音波処置装置によれば、磁気シールド材４４によって観察光学系１４０とバイアス磁石４３およびコイル４２とを隔絶するようにしているため、ＣＣＤユニット１４３に電磁気の影響が及ぶ虞れがなく、また磁歪素子４０２の長さ方向の中心をＣＣＤユニット１４３の重心を含む横断面上に合致させているため、ＣＣＤユニット１４３に超音波振動子４０で発生する振動の影響が及ぶ虞れがない。従って、ビデオ装置において良好な観察画像を得ることができるようになる。
【００３５】
尚、上述した実施の形態１では、磁気シールド材４４によって観察光学系１４０と超音波振動子４０とを隔絶することができるため、観察光学系１４０に対する電磁気の影響を考慮することなくこれに隣接した所望の処置位置に超音波振動子４０を配置して横振動の発生による出力ロスを一層低減することが可能になるが、必ずしも磁気シールド材４４を設ける必要はない。
【００３６】
また、上述した実施の形態１では、所望の処置位置に超音波振動子４０を配置した場合にその外周となる部位にのみコイル４２を配設するようにしているため、不要部分で不用意に超音波振動子４０が誤振動することを確実に防止することができるが、必ずしもこれに限定されず、例えば処置具挿入用チャンネル１６の全長に亘る部位にコイルを配設するようにしても良い。
【００３７】
（実施の形態２）
図４〜図７は、本発明の実施の形態２である超音波処置装置に適用する超音波振動子を示したものである。ここで例示する超音波振動子６０は、実施の形態１と同様の内視鏡システムを適用対象とし、挿入体に設けた１０処置具挿入用チャンネル１６に挿入配置されるもので、シリンダ６０１と鉗子部材６１とを備えている。
【００３８】
シリンダ６０１は、実施の形態１のものと同様に、有底円筒状を成し、その内部に複数の磁歪素子６０２を積層したもので、その先端開口にホーン６０４を介して接合した先端処置部６０３を備えている。先端処置部６０３は、超音波振動子６０を所望の周波数で超音波振動させた場合に、ホーン６０４の基端部に構成した支持フランジ部６０５および磁歪素子６０２の長さ方向の中心がそれぞれ超音波振動の節となり、かつ支持フランジ部６０５からの長さが超音波振動の周波数に対してその１／４波長となるように設定してある。シリンダ６０１の底面に軟性シース６３を介して処置操作部（図示せず）が連結してあるのも、実施の形態１と同様である。
【００３９】
鉗子部材６１は、先端処置部６０３に対向する鉗子把持部６１１と、シリンダ６０１の両側部に位置する一対の操作入力部６１２とを一体に構成したもので、先端処置部６０３に対して鉗子把持部６１１が開閉する態様でピン部材６４を介してシリンダ６０１に回転可能に支持させてある。
【００４０】
この鉗子部材６１には、操作入力部６１２に鉗子操作ワイヤ６５が連結してある。鉗子操作ワイヤ６５は、シリンダ６０１に設けた挿通孔６０１ａを通じてシリンダ６０１の底面に延出した後、軟性シース６３の内部を介して処置操作部（図示せず）に連係してあり、処置操作部を適宜操作した場合に鉗子部材６１の鉗子把持部６１１を先端処置部６０３に対して開閉移動させることができる。具体的には、鉗子操作ワイヤ６５を軟性シース６３の内部に引き込むことにより、図６に示すように、鉗子部材６１の鉗子把持部６１１を先端処置部６０３に対して閉じた状態に保持できる一方、鉗子操作ワイヤ６５を軟性シース６３から繰り出すことにより、図７に示すように、鉗子部材６１の鉗子把持部６１１を先端処置部６０３に対して開いた状態に保持することができる。
【００４１】
尚、上述した超音波振動子６０が挿入配置される処置具挿入用チャンネル１６の内周壁に、コイルおよびバイアス磁石が組み入れてあるのは実施の形態１と同様である。
【００４２】
上記のような超音波振動子６０を備える超音波処置装置によれば、処置操作部の操作によって先端処置部６０３と鉗子部材６１の鉗子把持部６１１との間に生体組織を把持するとともに、延長ケーブルを介してコイルに交流電流を供給することによって先端処置部６０３を超音波振動させれば、実施の形態１とは異なる態様の超音波処置を施すことが可能となる。
【００４３】
（実施の形態３）
図８および図９は、本発明の実施の形態３である超音波処置装置に適用する超音波振動子を示したものである。ここで例示する超音波振動子７０は、実施の形態１と同様の内視鏡システムを適用対象とし、挿入体１０に設けた処置具挿入用チャンネル１６に挿入配置されるもので、有底円筒状を成すシリンダ７０１の内部にプローブ部材７１を備えている。
【００４４】
プローブ部材７１は、先端処置部７１１、ホーン部７１２、支持フランジ部７１３、素子保持部７１４および軸部７１５を一体に構成したものである。先端処置部７１１は、一様な外径を有した細径の円柱状を成す部分である。ホーン部７１２は、先端処置部７１１の基端から漸次外径が増加する態様で連設した円錐状部分である。フランジ部は、ホーン部７１２の基端よりもさらに太径で、シリンダ７０１の内周面に嵌合するように形成した薄肉の円柱状部分である。素子保持部７１４は、シリンダ７０１の内径よりも僅かに細径に形成した円柱状部分である。軸部７１５は、素子保持部７１４よりも十分に細径に形成した円柱状部分であり、その外周面の一部にネジ溝７１５ａを有している。図８からも明らかなように、このプローブ部材７１には、先端処置部７１１の先端面から軸部７１５の先端面に至る部位に吸引通路７１ａが貫設してある。
【００４５】
このプローブ部材７１は、軸部７１５のネジ溝７１５ａに裏打部材７２を螺合させることにより、これら素子保持部７１４と裏打部材７２との間に複数の磁歪素子７０２を積層した状態で挟装保持させた後、軸部７１５の先端部が底壁の貫通孔７０１ａから突出する態様でシリンダ７０１の内部に装着してある。
【００４６】
プローブ部材７１の先端処置部７１１は、実施の形態１で示した超音波振動子７０の先端処置部４０３に相当する部分であり、超音波振動子７０を所望の周波数で超音波振動させた場合に、支持フランジ部７１３および磁歪素子７０２の長さ方向の中心がそれぞれ超音波振動の節となり、かつ支持フランジ部７１３からの長さが超音波振動の周波数に対してその１／４波長となるように設定してある。シリンダ７０１の底面に軟性シース７３を介して処置操作部（図示せず）が連結してあるのも、実施の形態１と同様である。
【００４７】
プローブ部材７１においてシリンダ７０１の底壁から突出した軸部７１５には、吸引チューブ７４の一端部が装着してある。吸引チューブ７４は、軟性シース７３の内部を通過して外部に延出し、その他端部が外部に設置した吸引ポンプ８０に接続してある。
【００４８】
尚、上述した超音波振動子７０が挿入配置される処置具挿入用チャンネル１６の内周壁に、コイルおよびバイアス磁石が組み入れてあるのは実施の形態１と同様である。
【００４９】
上記のような超音波振動子７０を備える超音波処置装置においても、延長ケーブルを介してコイルに交流電流を供給すれば、コイルに発生する磁界およびバイアス磁石による磁界の作用によって磁歪素子７０２が適宜歪み変形し、超音波振動子７０に超音波振動が発生することになり、先端処置部７１１の先端部において被検体に所望の超音波処置を施すことが可能となる。
【００５０】
しかも、超音波処置と同時に、あるいは超音波処置の終了後において吸引ポンプ８０を駆動すれば、超音波処置によって生じた不要な生体組織等を、吸引通路７１ａおよび吸引チューブ７４を通じて吸引回収することができるようになる。
【００５１】
尚、上述した実施の形態１〜３では、軟性挿入部を有した所謂軟性内視鏡システムを適用し、その挿入体１０に設けた処置具挿入用チャンネル１６の内部に超音波振動子を配設するようにした超音波処置装置を例示しているが、硬性の挿入部を有した硬性内視鏡システムを適用し、その挿入体に設けた処置具挿入用チャンネルの内部に超音波振動子を配設するようにしても良い。
【００５２】
また、上述した実施の形態１〜３では、いずれもコイルの外周となる部位にバイアス磁石を配設しているため、処置部の振動変位が増大することになり、処置出力をより増大させることができるが、必ずしもバイアス磁石を配設する必要はない。
【図面の簡単な説明】
【００５３】
【図１】本発明の実施の形態１である超音波処置装置の要部を示す断面側面図である。
【図２】図１に示した超音波処置装置を適用する内視鏡システムの概念図である。
【図３】図１に示した超音波処置装置の要部を概念的に示す斜視図である。
【図４】本発明の実施の形態２である超音波処置装置に適用する超音波振動子の構成要素を示す斜視図である。
【図５】図４に示した超音波振動子において鉗子部材を閉成した状態の側面図である。
【図６】図４に示した超音波振動子において鉗子部材を開成した状態の側面図である。
【図７】図４に示した超音波振動子の断面図である。
【図８】本発明の実施の形態３である超音波処置装置に適用する超音波振動子の構成要素を示す断面図である。
【図９】図８に示した超音波振動子の要部斜視図である。
【符号の説明】
【００５４】
１０      挿入体
１１      軟性挿入部
１２      湾曲部
１３      先端部材
１４      観察系用チャンネル
１５      光源用チャンネル
１６      処置具挿入用チャンネル
２０      操作ユニット
２１      把持部
２２      操作部
３０      光源装置
４０      超音波振動子
４２      コイル
４２ａ      延長ケーブル
４３      バイアス磁石
４４      磁気シールド材
４５      軟性シース
４６      処置操作部
４７      位置決め部材
５０      電源装置
６０      超音波振動子
６１      鉗子部材
６３      軟性シース
６４      ピン部材
６５      鉗子操作ワイヤ
７０      超音波振動子
７１      プローブ部材
７１ａ      吸引通路
７２      裏打部材
７３      軟性シース
７４      吸引チューブ
８０      吸引ポンプ
１２１      ピン
１２２      湾曲駒
１２３      外皮チューブ
１４０      観察光学系
１４１，１４２      観察レンズ
１４３      ＣＣＤユニット
１５１      照明レンズ
２１１，２１２      外部開口
２２１      操作ハンドル
２２２      ライトケーブル
２２３      ビデオ出力ケーブル
４０１      シリンダ
４０２      磁歪素子
４０３      先端処置部
４０４      ホーン
４０５      支持フランジ部
６０１      シリンダ
６０１ａ      挿通孔
６０２      磁歪素子
６０３      処置部
６０４      ホーン
６０５      支持フランジ部
６１１      鉗子把持部
６１２      操作入力部
７０１      シリンダ
７０１ａ      貫通孔
７０２      磁歪素子
７１１      先端処置部
７１２      ホーン部
７１３      支持フランジ部
７１４      素子保持部
７１５      軸部
７１５ａ      ネジ溝
【図１】
2005253616.tif 000003
【図２】
2005253616.tif 000004
【図３】
2005253616.tif 000005
【図４】
2005253616.tif 000006
【図５】
2005253616.tif 000007
【図６】
2005253616.tif 000008
【図７】
2005253616.tif 000009
【図８】
2005253616.tif 000010
【図９】
2005253616.tif 000011